(57)【要約】【課題】簡単な構成で各構成部品の温度上昇を抑制し、コンパクト化、長寿命化、及び高輝度化を図った照明器具を提供する。【解決手段】光源４１と、光源４１に所望の点灯電力を供給する点灯回路４３と、光源４１及び点灯回路４３を収納するケース３とを備え、前記ケース３は、点灯回路４３に電力を供給するための給電線４４が内設された配線ダクト４５の外面に接触する放熱面３ａを有し、当該放熱面３ａを介して配線ダクト４５へ放熱する。【選択図】図１
2011070817.tif 000002
【特許請求の範囲】
【請求項１】
光源と、
光源に所望の点灯電力を供給する点灯回路と、
光源及び点灯回路を収納するケースとを備え、
前記ケースは、点灯回路に電力を供給するための給電線が内設された配線ダクトの外面に接触する放熱面を有し、当該放熱面を介して配線ダクトへ放熱することを特徴とする照明器具。
【請求項２】
前記放熱面は、ケースに形成される貫通孔の周面に設けられ、当該貫通孔に配線ダクトが貫設されることを特徴とする請求項１記載の照明器具。
【請求項３】
前記放熱面は、配線ダクトの外面との間に高い熱伝導率を有する部材が介装されることを特徴とする請求項１または２記載の照明器具。
【請求項４】
前記放熱面は、配線ダクトの外面に形成される凹凸面に嵌合する凹凸状に形成されることを特徴とする請求項１乃至３いずれか記載の照明器具。
【発明の詳細な説明】
【技術分野】
【０００１】
本発明は、照明器具に関するものである。
【背景技術】
【０００２】
従来から、図６、７に示すように、給電線４４が内設された配線ダクト４５に固定されて、給電線４５から電力供給を受けることで点灯する照明器具において、光源４１と、光源４１を収納する光源ケース４２と、光源４１に所望の点灯電力を供給する点灯回路４３と、配線ダクト４５に固定されて点灯回路４３を収納する基盤ケース４６と、光源ケース４２を基盤ケース４６に吊り下げ固定する吊り下げ部材４７とを備えた照明器具が知られている（例えば特許文献１参照）。以下、図６における上下方向を基準として説明を行う。
【０００３】
配線ダクト４５は、長尺断面略矩形枠状に形成され、長手方向に沿って一対の給電線４４が内設されている。また、配線ダクト４５の下面には、長手方向に沿ってスリット４５ａが形成されている。
【０００４】
基盤ケース４６は、略矩形箱型に形成され、引っ掛けシーリング等によって配線ダクト４５の下面に対向した状態で固定される。
【０００５】
また、点灯回路４３と光源４１とは、吊り下げ部材４７内を通る図示しない配線を介して接続されている。
【０００６】
一般的に、照明器具は、点灯時に照明器具を構成する各部品（例えば、光源４１や点灯回路４３）の温度上昇が小さい程、照明器具のコンパクト化や、光源４１の長寿命化、高輝度化を図ることができるため、各部品に対して各種の放熱対策が施されている。
【０００７】
上記放熱対策の一例としては、光源ケース４２に放熱フィン４８（図６参照）を設けたり、基盤ケース４６の上面及び下面に通気孔４６ａ、４６ｂ（図７参照）をそれぞれ穿設したものがある。ここで、基盤ケース４６の上面に形成される通気孔４６ａは、配線ダクト４５のスリット４５ａと連通する。つまり、通気孔４６ａとスリット４５ａを介して基盤ケース４６の内部と配線ダクト４５の内部とが連通している。
【０００８】
基盤ケース４６に通気孔４６ａ、４６ｂが穿設された照明器具では、下面に形成された通気孔４６ｂを介して基盤ケース４６内に外気を取り込み、点灯回路４３から発生する熱によって基盤ケース４６内にこもる高温の空気を、上面に形成された通気孔４６ａを介して配線ダクト４５へ放出することで、基盤ケース４６内の温度上昇を抑制する。
【０００９】
また、光源ケース４２に放熱フィン４８が設けられた照明器具では、光源ケース４２の外面に形成される複数の放熱フィン４８が、光源ケース４２から熱を奪って外部へ放熱することで、光源ケース４２内が光源４１から発生する熱によって高温になることを抑制する。
【先行技術文献】
【特許文献】
【００１０】
【特許文献１】特開平１１−１１１０４０号公報
【発明の概要】
【発明が解決しようとする課題】
【００１１】
しかしながら、光源ケース４２に放熱フィン４８を形成した場合、光源ケース４２が大型化する、若しくは、デザイン上の制約が発生する、若しくは、構造が複雑になり製造コストが上昇する等の問題があった。また、基盤ケース４６に放熱フィンを設けた場合にも上記同様の問題が発生する。
【００１２】
また、基盤ケース４６に通気孔４６ａ、４６ｂを形成した場合、デザイン上の制約が発生する、若しくは、製造コストが上昇する等の問題があった。また、光源ケース４２に通気孔を設ける場合には、上記問題に加えて、光源ケース４２に形成される通気孔から光漏れが発生するといった問題がある。
【００１３】
本発明は、上記事由に鑑みてなされたものであり、その目的は、簡単な構成で各構成部品の温度上昇を抑制し、コンパクト化、長寿命化、及び高輝度化を図った照明器具を提供することにある。
【課題を解決するための手段】
【００１４】
請求項１の発明は、光源と、光源に所望の点灯電力を供給する点灯回路と、光源及び点灯回路を収納するケースとを備え、前記ケースは、点灯回路に電力を供給するための給電線が内設された配線ダクトの外面に接触する放熱面を有し、当該放熱面を介して配線ダクトへ放熱することを特徴とする。
【００１５】
この発明によれば、ケースの放熱面を配線ダクトに接触させて配線ダクトへ放熱を行うことでケース内の温度上昇が抑制され、簡単な構成で照明器具のコンパクト化、長寿命化、及び高輝度化を図ることができる。
【００１６】
請求項２の発明は、前記放熱面は、ケースに形成される貫通孔の周面に設けられ、当該貫通孔に配線ダクトが貫設されることを特徴とする。
【００１７】
この発明によれば、ケース内の温度上昇を抑制するのと同時に、配線ダクトに照明器具を保持させることができ、照明器具を配線ダクトに保持させるための部品が不要となって構造を簡略化することができる。
【００１８】
請求項３の発明は、前記放熱面は、配線ダクトの外面との間に高い熱伝導率を有する部材が介装されることを特徴とする。
【００１９】
この発明によれば、ケースから配線ダクトへの放熱効率を向上させることができる。
【００２０】
請求項４の発明は、前記放熱面は、配線ダクトの外面に形成される凹凸面に嵌合する凹凸状に形成されることを特徴とする。
【００２１】
この発明によれば、ケースと配線ダクトとの接触面が大きくなって、ケースから配線ダクトへの放熱効率を向上させることができる。
【発明の効果】
【００２２】
以上説明したように、本発明では、簡単な構成で各構成部品の温度上昇を抑制し、コンパクト化、長寿命化、及び高輝度化を図った照明器具を提供することができるという効果がある。
【図面の簡単な説明】
【００２３】
【図１】本発明の実施形態１における照明器具の概略図を示す。
【図２】同上における照明器具の断面図を示す。
【図３】同上における照明器具の別形態の概略図を示す。
【図４】同上における照明器具の別形態の概略図を示す。
【図５】本発明の実施形態２における照明器具の概略図を示す。
【図６】従来例における照明器具の概略図を示す。
【図７】同上における照明器具の断面図を示す。
【発明を実施するための形態】
【００２４】
以下、本発明の実施の形態を図面に基づいて説明する。
【００２５】
（実施形態１）
本実施形態における照明器具は、図１、２に示すように、光源１と、光源に所望の点灯電力を供給する点灯回路２と、光源１及び点灯回路２を収納して配線ダクト４５に取り付けられるケース３とを備えている。以下、図１における上下方向を基準として説明を行う。
【００２６】
配線ダクト４５は、長尺断面略矩形枠状に形成され、長手方向に沿って一対の給電線４４が内設されている。
【００２７】
ケース３は、配線ダクト４５の長手方向に沿って長い略矩形箱型に形成され、例えば、ねじ留め固定によって上面３ａが配線ダクト４５の下面に密着した状態で固定される。
【００２８】
点灯回路２は、ケース３内における長手方向一端側に配設され、図示しない接続手段を介して給電線４４に接続されて電力供給を受ける。
【００２９】
光源１は、蛍光灯や白熱電球、ＬＥＤ等が用いられ、ケース３における長手方向他端側に配設されてケース３の下面から外部に露出した状態で固定される。そして、光源１は、点灯回路２と図示しない配線によって接続され、点灯回路２より所望の点灯電力が供給されることで点灯する。
【００３０】
上記構成からなる本実施形態の照明器具では、点灯回路２が光源１を点灯させる際に発する熱や、光源１が点灯した際に発する熱が、ケース３内からケース３の上面３ａを介して配線ダクト４５へ放熱される。つまり、ケース３の上面３ａは放熱面として働く。以下、ケース３の上面３ａを放熱面３ａと称す。
【００３１】
放熱面３ａは、配線ダクト４５の長手方向に沿って長く、その全面が配線ダクト４５の下面に密着している。そして、放熱面３ａの長手方向一端側からは、主に光源１で発生した熱が放熱され、長手方向他端側からは、主に点灯回路２から発生した熱が放熱される。
【００３２】
ここで、従来例における照明器具では、図６で示すように基盤ケース４６の上面が配線ダクト４５の下面に当接していたが、当該当接は基盤ケース４６を配線ダクト４５に保持固定する為であって、放熱を目的として当接したものではなかった。
【００３３】
一方、本実施形態では、放熱面３ａはケース３を配線ダクト４５に保持固定する為の物ではなく、ケース３の放熱を目的とした物であり、例えば、放熱面３ａがアルミ等の熱伝導率の高い材料から平面度のよい略平板状に形成された場合には、配線ダクト４５に対する放熱面３ａの密着度を高めることができ、放熱効率が向上する。
【００３４】
このように、本実施形態では、光源１及び点灯回路２から発生した熱がケース３の放熱面３ａを介して配線ダクト４５へ放熱されるため、ケース３内の温度上昇が抑えられて光源１及び点灯回路２の温度上昇が抑制される。従って、ケース３に放熱フィンや通気孔を設ける必要がなく、ケース３の放熱面３ａを配線ダクト４５に当接させるという簡単な構成のみで、照明器具の各部品の温度上昇を抑制でき、照明器具のコンパクト化、長寿命化、高輝度化を図ることができる。
【００３５】
また、図３に示すように、ケース３の放熱面３ａと配線ダクト４５との間に、シリコンシート４を介装することで、放熱面３ａの放熱効率を更に高めることができる。なお、シリコンシート４は、シリコン樹脂等の高い熱伝導率を有する部材であってもよいものとする。
【００３６】
加えて、図４に示すように、放熱面３ａを凹凸状に形成し、配線ダクト４５の下面に形成する凹凸面に嵌合させることで、放熱面３ａの放熱面積が大きくなって、放熱面３ａの放熱効率を更に向上させることができる。
【００３７】
（実施形態２）
本実施形態の照明器具について図５を用いて説明を行う。なお、本実施形態の照明器具と実施形態１の照明器具とではケース５の形状のみが異なり、その他の構成については、実施形態１と同様であるため同様の符号を付して説明を省略する。
【００３８】
本実施形態の照明器具が備えるケース５は、図５に示すように、略矩形箱型に形成され、配線ダクト４５の長手方向に沿ってケース５の略中心に貫通孔５ａが穿設されており、貫通孔５ａが配線ダクト４５の外周を囲繞する。ここで、貫通孔５ａの内寸は、配線ダクト４５の外寸よりも若干小さく形成されているため、貫通孔５ａと配線ダクト４５とは嵌合する。従って、貫通孔５ａの周面と配線ダクト４５の外周面とは、嵌合により密着状態となっている。
【００３９】
そして、貫通孔５ａの周面は、アルミ等の熱伝導率の高い材料から形成されて放熱面５ａとして働き、ケース５内に設けられた光源１や点灯回路２から発生する熱は、放熱面５ａを介してケース５内から配線ダクト４５へ放射される。
【００４０】
また、ケース５の貫通孔５ａに配線ダクト４５が貫設されることで、ケース５が配線ダクト４５に保持されるため、ケース５を配線ダクト４５に固定するための固定部材が必要なく、部品点数を削減して構造を簡略化することができる。
【００４１】
以上のように、本実施形態の照明器具では、ケース５に穿設される貫通孔５ａが放熱面として働くことで、実施形態１と同様、ケース５に放熱フィンや通気孔を設ける必要がなく、ケース５内の温度上昇が抑制されて照明器具のコンパクト化、超寿命化、及び高輝度化を図ることができる。
【符号の説明】
【００４２】
１  光源
２  点灯回路
３  ケース
３ａ  放熱面
４  シリコンシート（高い熱伝導率を有する部材）
４４  給電線
４５  配線ダクト
【図１】
2011070817.tif 000003
【図２】
2011070817.tif 000004
【図３】
2011070817.tif 000005
【図４】
2011070817.tif 000006
【図５】
2011070817.tif 000007
【図６】
2011070817.tif 000008
【図７】
2011070817.tif 000009